(57)【要約】【課題】電子通貨の残高に応じて本体ケースを変化させることに世電子通貨が入出金されたことをユーザに体感させる。【解決手段】本発明は、電子通貨を収容する電子通貨記憶手段に記憶された電子通貨の残高に応じて、本体ケースの質量を分散させる、重心位置を変化させる、厚みを変化させる、または、温度を変化させる。【選択図】      図１
2004342006.tif 000002
【特許請求の範囲】
【請求項１】
電子通貨を収容する電子通貨記憶手段を有する本体ケースを備えた電子通貨収納装置であって、
前記電子通貨記憶手段に記憶された電子通貨の残高に応じて、前記本体ケースの質量を分散させる手段を有することを特徴とする電子通貨収納装置。
【請求項２】
電子通貨を収容する電子通貨記憶手段を有する本体ケースを備えた電子通貨収納装置であって、
前記電子通貨記憶手段に記憶された電子通貨の残高に応じて、前記本体ケースの重心位置を変化させる手段を有することを特徴とする電子通貨収納装置。
【請求項３】
電子通貨を収容する電子通貨記憶手段を有する本体ケースを備えた電子通貨収納装置であって、
前記電子通貨記憶手段に記憶された電子通貨の残高に応じて、前記本体ケースの重みを変化させる手段を有することを特徴とする電子通貨収納装置。
【請求項４】
電子通貨を収容する電子通貨記憶手段を有する本体ケースを備えた電子通貨収納装置であって、
前記電子通貨記憶手段に記憶された電子通貨の残高に応じて、前記本体ケースの温度を変化させる手段を有することを特徴とする電子通貨収納装置。
【請求項５】
通信ネットワークとの間で電子通貨の出金または、入金に関する通信を行う通信手段と、
前記通信手段により通信される通信情報の履歴を記憶する通信履歴記憶手段と、
前記通信情報の履歴を表示する表示手段と、を有する請求項１乃至４のいずれか１項記載の電子通貨収納装置。
【発明の詳細な説明】
【０００１】
【発明の属する技術分野】
本発明は、電子通貨収納装置に係り、特に、電子通貨が補充されたり消費されたときの残高に応じて本体ケースを変化させることで、所有者に体感的に電子通貨の残高を認識させるための電子通貨収納装置に関する。
【０００２】
【従来の技術】
従来より、現金の代用として電子通貨をＩＣカードに記憶させ、電子通貨の交換によって必要な料金の決済を行う電子決済システムが普及している。
【０００３】
ところで、ＩＣカードに電子通貨を記憶させる場合には、電子通貨の残高等を何らかの方法によって確認する必要があり、例えば、銀行に設置されている専用端末や街頭端末でＩＣカードの残高を確認するには面倒である。
【０００４】
このため、ＩＣカードを収納する電子財布を設け、この電子財布に収納されるＩＣカードを電子財布に設けられたカードリーダによって読み取り、電子財布のケースに設けられた液晶表示画面に残高を表示することにより、手軽に残高を確認することができるようにしている。
【０００５】
ところで、ＩＣカードに記憶される電子通貨は、仮想の通貨であり、実際の電子通貨による入金や支払を行う際には、ユーザは、その実感が湧かない。
【０００６】
このような不具合を解消するものとして、２枚のＩＣカードを電子財布に収納してＩＣカード間で電子通貨の移動を行う場合（例えば、父親のＩＣカードから子供のＩＣカードに電子通貨を移動させることが考えられる）、その移動中にアニメーションによって移動状態を表したり、音や振動を発生させたり、電子財布の厚さを変化させること等によって電子通貨が移動していることをユーザが体感できるようにする技術がある（例えば、特許文献１参照）。
【０００７】
【特許文献１】
特開平９−２３７３００号公報
【０００８】
【発明が解決しようとする課題】
しかしながら、上記従来の電子通貨の移動を行う技術は、電子財布に収納されたＩＣカード間の電子通貨の移動を体感的に変化させるようになっているものであるため、銀行等からＩＣカードに実際に電子通貨を入金する際、または、店舗等においてＩＣカードから電子通貨を出金する際には、電子通貨の増減を体感することができない。即ち、電子財布に収納されるＩＣカードは、既に電子通貨が入金または出金された後のものであるため、リアルタイムで電子通貨が出入金されたことを体感することができないという問題がある。
【０００９】
このように、従来の技術では、電子財布そのものに対して電子通貨が出入金されたことを体感することができない。
【００１０】
本発明は、上記の点に鑑みなされたもので、電子通貨の残高に応じて本体ケースを変化させることにより、電子通貨が入出金されたことを体感することができる電子通貨収納装置を提供することを目的とする。
【００１１】
【課題を解決するための手段】
本発明は、電子通貨を収容する電子通貨記憶手段を有する本体ケースを備えた電子通貨収納装置であって、
電子通貨記憶手段に記憶された電子通貨の残高に応じて、本体ケースの質量を分散させる手段を有する。
これにより、電子通貨の残高に応じて本体ケースの質量が変化したようにユーザに体感させるため、ユーザは電子通貨が入出金されたことを体感することが可能となる。
【００１２】
本発明は、電子通貨を収容する電子通貨記憶手段を有する本体ケースを備えた電子通貨収納装置であって、
電子通貨記憶手段に記憶された電子通貨の残高に応じて、本体ケースの重心位置を変化させる手段を有する。
【００１３】
これにより、電子通貨の残高に応じて本体ケースの質量が変化したようにユーザに体感させることが可能となる。
【００１４】
本発明は、電子通貨を収容する電子通貨記憶手段を有する本体ケースを備えた電子通貨収納装置であって、
電子通貨記憶手段に記憶された電子通貨の残高に応じて、本体ケースの重みを変化させる手段を有する。
【００１５】
これにより、本体ケースの厚みの変化により、ユーザに電子通貨が出入金されたことを体感させることが可能となる。
【００１６】
本発明は、電子通貨を収容する電子通貨記憶手段を有する本体ケースを備えた電子通貨収納装置であって、
電子通貨記憶手段に記憶された電子通貨の残高に応じて、本体ケースの温度を変化させる手段を有する。
【００１７】
これにより、本体ケースの温度を変化させることにより、ユーザに電子通貨が出入金されたことを体感させることが可能となる。
【００１８】
また、本発明は、通信ネットワークとの間で電子通貨の出金または、入金に関する通信を行う通信手段と、通信手段により通信される通信情報の履歴を記憶する通信履歴記憶手段と、通信情報の履歴を表示する表示手段と、を有する。
【００１９】
これにより、受信日時、受信金額、送信者命、電子通貨の種類（円、ドル、ユーロ等）の受信情報や出金金額、出金日時等の送信情報等の通信履歴を把握することができ、この結果、預金通常や帳簿としての機能を果たすことが可能となる。
【００２０】
【発明の実施の形態】
以下、図面と共に本発明の実施の形態を説明する。
【００２１】
［第１の実施の形態］
図１は、本発明の第１の実施の形態における電子通貨収納装置（電子財布）を含む電子通貨流通システムの構成を示す。
【００２２】
同図に示す電子通貨流通システムは、インターネットや公衆網等の通信ネットワーク２を介して接続される銀行３、与信会社４、店舗５及び取引先の会社６等によって構成される。なお、通信ネットワーク２に接続される対象は上記のものに限らず、あらゆるものが想定されることは勿論のことである。
【００２３】
銀行３には、ユーザの口座が開設されており、ユーザが電子財布１によって銀行３から電子通貨を引下ろすと、銀行２では、引き下ろした金額を純残高（現金）から電子通貨発行分にすり替える。即ち銀行３のユーザの口座には純残高と電子通貨発行分の２種類の通貨が管理され、ユーザは、現金として引き下ろすことができるのは純残高分のみである。
【００２４】
与信会社４は、ユーザがレストラン、デパート等の店舗５で電子通貨により買い物をしたときに、店舗６から請求される金額情報を銀行３に通知するようになっており、銀行３は、この通知金額を電子通貨発行分から差し引いて与信会社４に出金する。与信会社４は、この金額を店舗５の口座に振り込む。
【００２５】
また、会社６としては、例えば、ユーザが製品の販売、納入する対象の会社であり、会社６は、電子財布１に売上金を直接、或いは、銀行３のユーザの口座に入金するようになっている。
【００２６】
図２は、本発明の第１の実施の形態における電子財布の外観図である。同図において、電子財布１は、例えば、樹脂製の本体ケース１０を有し、本体ケース１０には、通信部１１、液晶表示画面（表示手段）１２、虹彩カメラ１３、及びテンキーやカーソルキー等の操作スイッチ１４が一体的に設けられている。
【００２７】
図３は、本発明の第１の実施の形態における電子財布の制御系の構成を示す。同図において、電子財布１は、通信部（通信手段）１１、認識部１５、表示部１６、虹彩カメラ１３、制御部１７、メモリ（電子通貨記憶手段、通信履歴記憶手段）１８、操作部１９及び状態変化部２０を備えている。
【００２８】
通信部１１は、赤外線による送受信機から構成されており、通信ネットワーク２に無線により接続して電子通貨の出金または入金を行うようになっている。なお、通信部１１は、無線式のインタフェースに限らず、電話回線のモジュラージャック等に接続される有線式のインタフェースであってもよい。
【００２９】
認識部１５は、通信部１１が受信し電子通貨の受信情報である受信日時、受信金額、送信者名、電子通貨の種類（円、ドル、ユーロ等）等を識別し、この識別情報を制御部１７に転送する。
【００３０】
表示部１６は、文字データや画像データを生成して液晶表示画面１２に文字や画像を表示し、上述の受信情報や後述する送信情報及びそれらの履歴を表示する。
【００３１】
虹彩カメラ１３は、虹彩（アイリス）を撮像するＣＣＤカメラ等から構成されており、撮像された虹彩を光電変換して制御部１７に転送する。
【００３２】
制御部１７は、ＣＰＵ，ＲＡＭ，ＲＯＭ等から構成されており、ＲＯＭに格納された制御プログラムに従って電子財布１の全体の制御を行う。
【００３３】
メモリ１８は、電子通貨の残高を記憶する第１の記憶領域と、上述した通信情報の履歴を記憶する第２の記憶領域と、ユーザの虹彩データを登録する第３の記憶領域とを備えている。
【００３４】
制御部１７は、通信部１１から入金され、認識部１５でこの入金に関する情報が識別されたときに、メモリ１８の第１の記憶領域の残高に入金された残高を加算すると共に、第２の記憶領域に受信情報を記憶する。
【００３５】
また、制御部１７は、出金時に第１の記憶領域の電子通貨の残高から出金額を差し引いた後、通信部１１から出金すると共に、送信情報（送信金額、送信日時等）を第２の記憶領域に記憶する。
【００３６】
また、制御部１７は、虹彩カメラ１３によって撮像された虹彩とメモリ１８の第３の領域に登録された虹彩データとを比較し、比較結果が一致したときに、通信部１１を介して電子通貨の出金を行い、第三者が故意に電子通貨を引き出してしまうのを防止するようにしている。
【００３７】
なお、虹彩によってユーザを認証するのに限らず、指紋等によってユーザを認証するようにしてもよく、このような虹彩や指紋等の生体的な特徴に代えて暗証番号によってユーザの認証を行うようにしてもよい。
【００３８】
操作部１９は、操作スイッチ１４が操作されたときに、その操作スイッチ１４の押下信号に基づいて電子財布１の種々の操作を行う。具体的には、操作スイッチ１４は、出金金額の入力、虹彩の撮像開始指示、メモリ１８の第２記憶領域に登録された通信情報及び通信履歴の表示指示等を行う。
【００３９】
また、状態変化部２０は、本体ケース１０の状態を変化させるものであり、この状態変化部２０を図４に基づいて説明する。なお、図４は、本発明の第１の実施の形態における本体ケースの内部を示し、状態変化部２０を簡略化して図示している。
【００４０】
図４において、状態変化部２０は、初期位置が本体ケース１０の中心部に配置され、図示しない通電部材によって通電される電磁コイル３１、電磁コイル３１から本体ケース１０の角部にそれぞれ延在する４本のガイドレール３４と、ガイドレール３４にそれぞれ収納された磁石３３と、一端部に磁石３３に取り付けられると共に、他端部が本体ケース１０の角部に取り付けられ、磁石３３を電磁コイル３１に向かって付勢するバネ部材３２とを備えている。
【００４１】
この状態変化部２０は、電磁コイル３１を通電することにより、磁石３３をバネ部材３２の付勢力に抗して外方に移動させることにより、質量（磁石３３）を分散させることにより、本体ケース１０の質量があたかも増大したかのように変化させる。
【００４２】
すなわち、本体ケース１０の重心位置に磁石３３が位置している状態に対して、磁石３３が本体ケース１０の重心位置から外方に移動して本体ケース１０の質量を分散させた状態では、本体ケース１０の重心位置を中心にした回転モーメントが増大することで本体ケース１０の質量があたかも増大したような状態になる。
【００４３】
なお、電磁石３１の印加電圧を多段的に変化させることにより、本体ケース１０の質量が多段的に変化したような状態にする。
【００４４】
本実施の形態では、電子通貨が入金されたとき、または、出金されたときに制御部１７により通電部材を出力して電磁石３１の印加電圧を切り換えることにより、本体ケース１０の質量が増減したように本体ケース１０の状態を変化させる。
【００４５】
次に、電子財布１により電子通貨の入出金を行う方法を説明する。
【００４６】
まず、電子通貨の入金時には、銀行３のユーザの口座にある電子通貨発行分の電子通貨から一部、あるいは、全ての電子通貨を電子財布１に入金する。
【００４７】
このとき、ユーザは、銀行３に直接設置され電子財布端末、あるいは、通信ネットワーク２を介して銀行３の装置に接続される電子財布端末に対し、入金の要求を行う。この作業手順としては、操作スイッチ１４から入金金額及び口座の暗証番号を入力した後、電子財布１の通信部１１を電子財布端末の通信インタフェースに向けて操作スイッチ１４の、例えば、スタートキーを押下する等の手順である。
【００４８】
そして、電子財布端末の通信インタフェースから通信部１１に電子通貨の入金があると、認識部１５により入金金額を認識し、この認識結果を制御部１７に転送する。制御部１７は、この入金金額を表示部１６に転送し、表示部１６によって液晶表示画面１２に入金金額を表示する。
【００４９】
また、制御部１７からメモリ１８の第１の記憶領域に電子通貨が入金され、第１の記憶領域に既存の電子通貨に新規に入金された電子通貨の金額が加算される。
【００５０】
一方、制御部１７は、通電部材に信号を出力して通電部材により電磁コイル３１を通電する。このとき、電磁コイル３１に起電力が発生して磁石３３を励磁することにより、磁石３３がバネ部材３２の付勢力に抗して重心位置から外方に移動して本体ケース１０の質量を分散させて質量が増大したような状態に変化する。なお、制御部１２は、入金金額の大小に応じて電磁コイル３１への印加電圧を調整することにより、多額の電子通貨が入金される程、磁石３３を外方に移動させることで電子通貨が多く入金されたことを体感できるようにしてもよい。
【００５１】
また、取引先の会社６から売上金として電子通貨を受け取るときには、ユーザは、会社６に直接設置される電子財布端末、或いは、通信ネットワーク２を介して会社６に接続される電子財布端末に対し、入金の要求を行う。この作業手順としては、操作スイッチ１４から入金要求（例えば、取引先との間で予め決めた暗証番号）を入力した後、電子財布１の通信部１１を電子財布端末の通信インタフェースに向ける等の手順である。
【００５２】
このとき、電子財布端末の通信インタフェースから通信部１１に電子通貨の入金があると、認識部１５により受信日時、受信金額、送信者名、電子通貨の種類（円、ドル、ユーロ等）等の受信情報を識別し、認識情報を制御部１７に転送する。制御部１７は、受信情報を表示部１６に転送し、表示部１６によって液晶表示画面１２に受信情報を表示する。
【００５３】
また、制御部１７からメモリ１８の第１の記憶領域に電子通貨が入金され、第１の記憶領域に既存の電子通貨に新規に入金された電子通貨の金額が加算されると共に、第２の記憶領域に受信内容とその履歴が記憶される。このときにも上述したように本体ケース１０の質量を分散させて質量が増大したような状態に変化させる。
【００５４】
また、ユーザは必要に応じて操作スイッチ１４を操作して受信内容の履歴を液晶表示画面１２に表示して確認する。
【００５５】
次に、店舗５で買物や食事をして電子通貨により支払（出金）を行う場合には、ユーザは、店舗５に設置される電子財布端末に対して支払要求を行う。この作業手順としては、まず、虹彩カメラ１３によって虹彩を撮像する。このとき、制御部１７がメモリ１８の第３の記憶領域に記憶された虹彩データと撮像された虹彩とを比較し、比較結果が一致すると、液晶表示画面１２に「認証が正当化されました」という表示を行う。次いで、操作スイッチ１４から入金金額を入力した後、電子財布１の通信部１１を電子財布端末の通信インタフェースに向けて操作スイッチ１４のスタートスイッチを押下する。
【００５６】
そして、電子財布端末の通信インタフェースに通信部１１から電子通貨の支払が行われると、制御部１７は、支払金額を表示部１６に転送し、表示部１６によって液晶表示画面１２に支払金額が表示される。また、制御部１７は、メモリ１８の第１の記憶領域に支払金額を差し引いた電子通貨を記憶すると共に、第２の記憶領域に出金金額を記憶する。なお、店舗５は、通信ネットワーク２を介して与信会社４に対してユーザ情報と共に支払金額を送信し、与信会社４がネットワーク３を介して銀行３のユーザの口座から支払額を受け取り、店舗５の口座に入金する。
【００５７】
一方、制御部１７は、通電部材に信号を出力して通電部材により電磁コイル３１の通電力を切り換え、電磁コイル３１から発生する起電力を減少させて磁石３３へ励磁力を少なくする。このとき、磁石３３がバネ部材３２の付勢力により重心位置に向かって移動して本体ケース１０の質量の分散を少なくし（即ち、磁石３３を集約させる方向に移動させる）、本体ケース１０の質量が減少したような状態に変化させる。
【００５８】
なお、この質量の分散方式では、消費電力が多くなるので、例えば、充電式の電源を使用したり、補助電池として太陽電池を使用して主電池に充電する方式を採用することが望ましい。
【００５９】
このように本実施の形態では、通信部１１によって電子通貨の出金または、入金を行うときに、電子通貨の残高に応じて本体ケース１０の質量を分散させるようにしたので、ユーザは電子通貨が出入金されたことを体感することができる。
【００６０】
特に、通信部１１によって電子通貨が出金されるときに、本体ケース１０が軽くなるように質量を分散させて、電子通貨が入金されるときに本体ケース１０が重くなるように本体ケース１０を異なる質量分散状態に変化させるようにしたので、電子通貨の入金または出金とを分けて体感することができる。
【００６１】
また、本実施の形態では、通信部１１によって電子通貨が入金されるときに、受信日時、受信金額、送信者名、電子通貨の種類（円、ドル、ユーロ等）等を液晶表示画面１２に表示するようにしたので、受信情報を把握することができる。
【００６２】
また、この受信情報と送信情報（送信金額、送信日時等）の通信情報の履歴をメモリの第２の記憶領域に記憶し、操作スイッチ１４を操作することにより、液晶表示画面１２に表示するようにしたので、預金通帳や帳簿としての機能を付加することができる。
【００６３】
［第２の実施の形態］
次に、図１〜図３及び図５を用いて本実施の形態について説明する。図５は、本発明の第２の実施の形態における状態変化部の構成を示す。本実施の形態では、図５に示す状態変化部２０の構成が前述の第１の実施の形態と異なるのみでその他の構成は同一である。
【００６４】
図５において、本体ケース１０には状態変化部２０として、重り４２ａ及びロッド４２ｂからなる揺動部材４２を設け、この揺動部材４２を本体に設けられた図示しない揺動ソレノイド等によって揺動させるようにしたものである。
【００６５】
揺動部材４２は、制御部１７により制御され、初期位置において重り４２ａが本体ケース１０の重心位置に位置するようになっており（実線位置）、電子通貨の入金時に揺動ソレノイドにより揺動部材が実線位置から破線位置に揺動することにより、重りが重心位置からずれることにより、回転モーメントを増大させて本体ケース１０の質量があたかも増大したかのように本体ケース１０の状態を変化させるようにしている。また、電子通貨の出金時には揺動ソレノイドにより揺動部材が例えば、破線位置から実線位置に揺動することにより、重りが重心位置に位置することにより、回転モーメントを減少させて本体ケース１０の質量があたかも減少したかのように本体ケース１０の状態を変化させるようにしている。
【００６６】
このようにしても第１の実施の形態と同様に電子通貨の入出金を体感することができる。なお、揺動ソレノイドにより揺動部材４２を多段的に揺動させて重り４２ａの重心位置からの揺動位置を調整するようにしてもよい。このようにすれば、電子通貨の残高に応じて本体ケース１０の質量があたかも増減するように本体ケース１０の重心位置を変化させることで出入金額の大きさを体感させることができる。
【００６７】
［第３の実施の形態］
次に、図１〜図３、及び図６を用いて本実施の形態を説明する。
【００６８】
図６は、本発明の第３の実施の形態における状態変化部の構成を示す。同図に示すように状態変化部２０の構成が異なるのみでその他の構成は、前述の第１の実施の形態と同様である。
【００６９】
図６において、本体ケース１０の側面には、伸縮シート５０が設けられていると共に、本体ケース１０の端部にはポンプ機構５１が設けられ、この伸縮シート５０及びポンプ機構５１によって状態変化手段５０が構成されている。
【００７０】
また、ポンプ機構５１は、流路５２を介して伸縮シート５０と本体ケース１０の間に空気を供給すると共に、流路５２を介して伸縮シート５０と本体ケース１０の間の空気を排出することにより、伸縮シート５０の膨らみを増大させることで本体ケース１０の厚みを増減させるようになっている。従って、ポンプ機構５１は、給排気バルブも備えている。
【００７１】
本実施の形態では、ポンプ機構５１は、制御部１７により制御され、電子通貨の入金時に本体ケース１０と伸縮シート１０の間に空気を送り込み、伸縮シート５０を膨張させて本体ケース１０の厚みを増大させることにより、本体ケース１０の状態を変化させるようにしている。
【００７２】
また、電子通貨の出金時には、ポンプ機構５１により、本体ケース１０と伸縮シート５０の間から空気を抜き、伸縮シート５０を縮小させて本体ケース１０を薄くすることにより、本体ケース１０の状態を変化させるようにしている。
【００７３】
このようにしても第１の実施の形態と同様に、電子通貨の入出金を体感することができる。なお、ポンプ機構５１により本体ケース１０と伸縮シート５０の間に給排気される空気を多段的に制御することにより、電子通貨の入出金額におうじて本体ケース１０の厚みを増減させるようにしてもよい。このようにすれば、電子通貨の入出金額に応じて本体ケース１０の厚みを増減させることで出入金額の大きさを体感させることができる。
【００７４】
［第４の実施の形態］
図１〜図３及び図７を用いて本実施の形態を説明する。図７は、本発明の第４の実施の形態における状態変化部の構成を示す。
【００７５】
図７において、本体ケース１０にはヒータ６１が設けられており、ヒータ６１によって本体ケース１０を加熱して加熱温度により、本体ケース１０の状態を変化させるようにしている。
【００７６】
即ち、本実施の形態では、出金時にはヒータ６１の温度を下げ、また、入金時にはヒータ６１の温度を上昇させることにより、第１の実施の形態と同様に電子通貨の入出金を体感することができる。なお、ヒータ６１の加熱温度を多段的に制御するようにしてもよい。このようにすれば、電子通貨の残高に応じて本体ケース１０の温度を上下させることで電子通貨の出入金を体感させることができる。
【００７７】
［第５の実施の形態］
図１、図２、図８を用いて、本実施の形態を説明する。図８は、本発明の第５の実施の形態における電子通貨収納装置の本体ケースを貯金箱により構成した例を示す。他の構成は、前述の第１の実施の形態と同様である。
【００７８】
本実施の形態では、図８に示す貯金箱７０が図１に示す通信ネットワーク２を介して、銀行３、会社６、店舗５の各装置間で電子通貨の出入金を行うと共に、電子財布１との間で電子通貨の入出金を行うものである。
【００７９】
また、貯金箱７０に第１〜第４の実施の形態に示したいずれかの状態変化部２０が設けられており、このようにすることで、ユーザは、電子通貨が出入金されたことを体感することができる。
【００８０】
この貯金箱７０は、特に、子供に持たせる玩具としての付加価値を子供に与えることができ、親の電子財布１から出金された電子通貨（こづかい）を貯金するときに、子供に電子通貨の入金を体感させることで、子供に娯楽を与えることができる。また、貯金箱としては、金庫代わりに用いることも可能である。
【００８１】
なお、上記の各実施の形態では、状態変化部２０として、質量を分散させる機構（第１の実施の形態）、重心の位置をずらす機構（第２の実施の形態）、本体ケースの厚みを変える機構（第３の実施の形態）、本体ケースの温度を変える機構（第４の実施の形態）を採用しているが、これに代えて、音声や色の変化によって本体ケース１０や貯金箱７０の状態の変化を通知する手段を採用してもよい。
【００８２】
具体的には、音声によって状態変化を通知する場合には、スピーカ、アンプ、音源を本体ケース１０や貯金箱７０に設け、電子通貨の出金時に高音をスピーカから出力し、電子通貨の入金時に低音をスピーカから出力することにより、本体ケース１０の状態を間接的に変化させる。
【００８３】
また、直接音声信号を出力してもよい。例えば、出金時には「５０００円が出金されました」という音声信号を出力し、入金時には、「１００００円が入金されました」という音声信号を出力するようにしてもよい。また、本体ケース１０や貯金箱７０の表面を液晶パネルから構成し（この場合には操作スイッチ１４はタッチパネルにする）、電子通貨が入金されたときには液晶表示パネルを黒系の色に変化させ、電子通貨が出金されたときには液晶表示パネルを白系の色に変化させることにより、本体ケース１０の状態を変化させる。
【００８４】
また、本発明は、これらの方法に限定されるものではなく、本体ケース１０や貯金箱７０の状態を変化させることができれば、その他の手段を採用することができるのは言うまでもない。
【００８５】
なお、本発明は、上記の実施の形態に限定されることなく、特許請求の範囲内において、種々変更・応用が可能である。
【００８６】
【発明の効果】
上述のように、本発明の電子通貨収納装置によれば、電子通貨の出入金されたことを体感することができる。
【図面の簡単な説明】
【図１】本発明の第１の実施の形態における電子通貨収納装置を含む電子通貨流通システムの構成図である。
【図２】本発明の第１の実施の形態における電子財布の外観図である。
【図３】本発明の第１の実施の形態における電子財布の制御系の構成図である。
【図４】本発明の第１の実施の形態における本体ケースの内部を示す図である。
【図５】本発明の第２の実施の形態における状態変化部の構成図である。
【図６】本発明の第３の実施の形態における状態変化部の構成図である。
【図７】本発明の第４の実施の形態における状態変化部の構成図である。
【図８】本発明の第５の実施の形態における電子通貨収納装置の本体ケースを貯金箱により構成した例である。
【符号の説明】
１  電子財布
２  ネットワーク
３  銀行
４  与信会社
５  店舗
１０  本体ケース
１１  通信部
１２  液晶表示画面
１３  虹彩カメラ
１４  操作スイッチ
１５  識別部
１６  表示部
１７  制御部
１８  メモリ
１９  操作部
２０  状態変化部
３１  電磁コイル
３２  バネ部材
３３  磁石
３４  ガイドレール
４２ａ  重り
４２ｂ  ロッド
４２  揺動部材
５０  伸縮シート
５１  ポンプ機構
５２  流路
６１  ヒータ
７０  貯金箱
【図１】
2004342006.tif 000003
【図２】
2004342006.tif 000004
【図３】
2004342006.tif 000005
【図４】
2004342006.tif 000006
【図５】
2004342006.tif 000007
【図６】
2004342006.tif 000008
【図７】
2004342006.tif 000009
【図８】
2004342006.tif 000010